【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
軸受Ａ及びその測定実行部Ａと、軸受Ｂ及びその測定実行部Ｂと、前記測定実行部Ａ及び前記測定実行部Ｂを制御する制御ユニットと、を備える軸受システムであって、
前記測定実行部Ａは、
前記軸受Ａの使用状態を示す指標を測定する測定部Ａと、
前記軸受Ａへ作用させる、前記軸受Ａの使用状態に影響を与える動作条件Ａを実行する動作条件実行部Ａと、を備え、
前記測定実行部Ｂは、
前記軸受Ｂの使用状態を示す前記指標を測定する測定部Ｂと、
前記軸受Ｂへ作用させる、前記軸受Ｂの使用状態に影響を与える動作条件Ｂを実行する動作条件実行部Ｂと、を備え、
前記制御ユニットは、
前記動作条件Ａ及び前記動作条件Ｂと、前記動作条件Ａ及び前記動作条件Ｂを実行したときに前記軸受Ａで得られる指標Ａ及び前記軸受Ｂで得られる指標Ｂと、のセットの複数が保存される指示保存部と、
該指示保存部の保存内容に基づいて、前記動作条件実行部Ａ及び前記動作条件実行部Ｂを制御し、もって前記軸受Ａ及び前記軸受Ｂの指標をそれぞれ定められた目標通りに制御する制御部と、を備え、
前記測定実行部Ａ及び前記測定実行部Ｂと前記制御ユニットとは通信回線でつながれており、測定された指標、及び実行した動作条件が前記通信回線を介して前記測定実行部Ａ及び測定実行部Ｂから前記制御ユニットへ送信される軸受システムにおいて、
前記動作条件Ａは前記軸受Ａの摩耗条件Ａであり、
前記動作条件Ｂは前記軸受Ｂの摩耗条件Ｂであり、
前記摩耗条件Ａは前記軸受Ａへ送風するファンの角度で制御される前記軸受Ａの潤滑油の温度であり、
前記摩耗条件Ｂは前記軸受Ｂへ送風するファンの角度で制御される前記軸受Ｂの潤滑油の温度である、軸受システム。
【請求項２】
軸Ａに取付けられる軸受Ａ及びその測定実行部Ａと、前記軸Ａと異なる軸Ｂに取付けられる軸受Ｂ及びその測定実行部Ｂと、前記測定実行部Ａ及び前記測定実行部Ｂを制御する制御ユニットと、を備える軸受システムであって、
前記測定実行部Ａは、
前記軸受Ａの使用状態を示す指標を測定する測定部Ａと、
前記軸受Ａへ作用させる、前記軸受Ａの使用状態に影響を与える動作条件Ａを実行する動作条件実行部Ａと、を備え、
前記測定実行部Ｂは、
前記軸受Ｂの使用状態を示す前記指標を測定する測定部Ｂと、
前記軸受Ｂへ作用させる、前記軸受Ｂの使用状態に影響を与える動作条件Ｂを実行する動作条件実行部Ｂと、を備え、
前記制御ユニットは、
前記動作条件Ａ及び前記動作条件Ｂと、前記動作条件Ａ及び前記動作条件Ｂを実行したときに前記軸受Ａで得られる指標Ａ及び前記軸受Ｂで得られる指標Ｂと、のセットの複数が保存される指示保存部と、
該指示保存部の保存内容に基づいて、前記動作条件実行部Ａ及び前記動作条件実行部Ｂを制御し、もって前記軸受Ａ及び前記軸受Ｂの指標をそれぞれ定められた目標通りに制御する制御部と、を備え、
前記測定実行部Ａ及び前記測定実行部Ｂと前記制御ユニットとは通信回線でつながれており、測定された指標、及び実行した動作条件が前記通信回線を介して前記測定実行部Ａ及び測定実行部Ｂから前記制御ユニットへ送信される軸受システム。
【請求項３】
前記動作条件Ａは前記軸受Ａの摩耗条件Ａ及び／又は温度条件Ａであり、
前記動作条件Ｂは前記軸受Ｂの摩耗条件Ｂ及び／又は温度条件Ｂである、請求項２に記載の軸受システム。
【請求項４】
前記摩耗条件Ａは前記軸受Ａの潤滑油の温度であり、
前記摩耗条件Ｂは前記軸受Ｂの潤滑油の温度である、請求項３に記載の軸受システム。
【請求項５】
前記軸受Ａの潤滑油の温度は前記軸受Ａへ送風するファンのファン角度で制御し、
前記軸受Ｂの潤滑油の温度は前記軸受Ｂへ送風するファンのファン角度で制御する、請求項４に記載の軸受システム。
【請求項６】
前記温度条件Ａは潤滑油の流量であり、
前記温度条件Ｂは潤滑油の流量である、請求項３に記載の軸受システム。
【請求項７】
前記摩耗条件Ａは前記軸受Ａの面積であり、
前記摩耗条件Ｂは前記軸受Ｂの面積である、請求項３に記載の軸受システム。
【請求項８】
前記指標は前記軸受Ａ及び軸受Ｂの損失及び／又は前記軸受Ａ及び軸受Ｂの摩耗進行度合いである、請求項２〜７の何れかに記載の軸受システム。
【請求項９】
前記指標である損失は軸受Ａ及び軸受Ｂの背面温度から演算される、請求項８に記載の軸受システム。
【請求項１０】
軸受Ａ及びその測定実行部Ａと、軸受Ｂ及びその測定実行部Ｂと、前記測定実行部Ａ及び前記測定実行部Ｂを制御する制御ユニットと、を備え、
前記測定実行部Ａは、
前記軸受Ａの使用状態を示す指標を測定する測定部Ａと、
前記軸受Ａへ作用させる、前記軸受Ａの使用状態に影響を与える動作条件Ａを実行する動作条件実行部Ａと、を備え、
前記測定実行部Ｂは、
前記軸受Ｂの使用状態を示す前記指標を測定する測定部Ｂと、
前記軸受Ｂへ作用させる、前記軸受Ｂの使用状態に影響を与える動作条件Ｂを実行する動作条件実行部Ｂと、を備える、
軸受システムにおける前記軸受Ａ及び前記軸受Ｂの制御方法であって、
前記動作条件Ａ及び前記動作条件Ｂと、前記動作条件Ａ及び前記動作条件Ｂを実行したときに前記軸受Ａで得られる指標Ａ及び前記軸受Ｂで得られる指標Ｂと、のセットの複数を指示保存部へ保存するステップと、
前記指示保存部の保存内容に基づいて、前記動作条件実行部Ａ及び前記動作条件実行部Ｂを制御し、もって前記軸受Ａ及び前記軸受Ｂの指標をそれぞれ定められた目標通りに制御するステップと、含む制御方法において、
前記動作条件Ａは前記軸受Ａの摩耗条件Ａであり、
前記動作条件Ｂは前記軸受Ｂの摩耗条件Ｂであり、
前記摩耗条件Ａは前記軸受Ａへ送風するファンの角度で制御される前記軸受Ａの潤滑油の温度であり、
前記摩耗条件Ｂは前記軸受Ｂへ送風するファンの角度で制御される前記軸受Ｂの潤滑油の温度である、制御方法。
【請求項１１】
軸Ａに取付けられる軸受Ａ及びその測定実行部Ａと、前記軸受Ａと異なる軸Ｂに取付けられる軸受Ｂ及びその測定実行部Ｂと、前記測定実行部Ａ及び前記測定実行部Ｂを制御する制御ユニットと、を備え、
前記測定実行部Ａは、
前記軸受Ａの使用状態を示す指標を測定する測定部Ａと、
前記軸受Ａへ作用させる、前記軸受Ａの使用状態に影響を与える動作条件Ａを実行する動作条件実行部Ａと、を備え、
前記測定実行部Ｂは、
前記軸受Ｂの使用状態を示す前記指標を測定する測定部Ｂと、
前記軸受Ｂへ作用させる、前記軸受Ｂの使用状態に影響を与える動作条件Ｂを実行する動作条件実行部Ｂと、を備える、
軸受システムにおける前記軸受Ａ及び前記軸受Ｂの制御方法であって、
前記動作条件Ａ及び前記動作条件Ｂと、前記動作条件Ａ及び前記動作条件Ｂを実行したときに前記軸受Ａで得られる指標Ａ及び前記軸受Ｂで得られる指標Ｂと、のセットの複数を指示保存部へ保存するステップと、
前記指示保存部の保存内容に基づいて、前記動作条件実行部Ａ及び前記動作条件実行部Ｂを制御し、もって前記軸受Ａ及び前記軸受Ｂの指標をそれぞれ定められた目標通りに制御するステップと、含む制御方法。
【請求項１２】
前記動作条件Ａは前記軸受Ａの摩耗条件Ａ及び／又は温度条件Ａであり、
前記動作条件Ｂは前記軸受Ｂの摩耗条件Ｂ及び／又は温度条件Ｂである、請求項１１に記載の制御方法。
【請求項１３】
前記摩耗条件Ａは前記軸受Ａの潤滑油の温度条件であり、
前記摩耗条件Ｂは前記軸受Ｂの潤滑油の温度条件である、請求項１２に記載の制御方法。
【請求項１４】
前記軸受Ａの潤滑油の温度条件は前記軸受Ａへ送風するファンのファン角度であり、前記軸受Ｂの潤滑油の温度条件は前記軸受Ｂへ送風するファンのファン角度である、請求項１３に記載の制御方法。
【請求項１５】
前記温度条件Ａは潤滑油の流量であり、前記温度条件Ｂは潤滑油の流量である、請求項１２に記載の制御方法。
【請求項１６】
前記摩耗条件Ａは前記軸受Ａの面積であり、
前記摩耗条件Ｂは前記軸受Ｂの面積である、請求項１２に記載の制御方法。
【請求項１７】
前記指標は前記軸受Ａ及び軸受Ｂの損失及び／又は前記軸受Ａ及び軸受Ｂの摩耗進行度合いである、請求項１１〜１６の何れかに記載の制御方法。
【請求項１８】
前記指標である損失は軸受Ａ及び軸受Ｂの背面温度から演算される、請求項１７に記載の制御方法。
【請求項１９】
軸Ａに取付けられる軸受Ａ及びその測定実行部Ａと、前記軸Ａと異なる軸Ｂに取付けられる軸受Ｂ及びその測定実行部Ｂと、前記測定実行部Ａ及び前記測定実行部Ｂを制御する制御ユニットと、を備え、
前記測定実行部Ａは、
前記軸受Ａの使用状態を示す指標を測定する測定部Ａと、
前記軸受Ａへ作用させる、前記軸受Ａの使用状態に影響を与える動作条件Ａを実行する動作条件実行部Ａと、を備え、
前記測定実行部Ｂは、
前記軸受Ｂの使用状態を示す前記指標を測定する測定部Ｂと、
前記軸受Ｂへ作用させる、前記軸受Ｂの使用状態に影響を与える動作条件Ｂを実行する動作条件実行部Ｂと、を備える、
軸受システムにおける前記軸受Ａ及び前記軸受Ｂを制御するコンピュータ用のプログラムであって、
前記動作条件Ａ及び前記動作条件Ｂと、前記動作条件Ａ及び前記動作条件Ｂを実行したときに前記軸受Ａで得られる指標Ａの変化及び前記軸受Ｂで得られる指標Ｂと、のセットの複数を指示保存部へ保存するステップと、
前記指示保存部の保存内容を参照して、前記動作条件実行部Ａ及び前記動作条件実行部Ｂを制御し、前記軸受Ａ及び前記軸受Ｂの指標をそれぞれ定められた目標通りに制御するステップと、を実行させるコンピュータ用のプログラム。
【手続補正２】
【補正対象書類名】明細書
【補正対象項目名】０００８
【補正方法】変更
【補正の内容】
【０００８】
【表１】
2020008149.tif 000001
表１において
温度Ａ：軸受Ａの潤滑油の温度
温度Ｂ：軸受Ｂの潤滑油の温度
表１の結果より、各軸受の潤滑油の温度はパターン＃２、＃４とすること、即ち、各軸受の損失の総和が所定の閾値以下、表１の場合では、（−−）以下（（−）が２つ以上）とすること、が好ましい。